(57)【要約】【課題】  身体下肢の脚部に用いて防水し又は保温、保護を目的とする脚部の保護カバーを提供する。【解決手段】  防水の性質を有する布材又はシート材を用いた外側部材（２）の内側に、保温、通気、保護などの性質を有する内側部材（３）を面ファスナーなどの止め具（７）を用いて自由に張替えすることが出来るようにした二重構造とし、これを脚部に巻き付けておくことの出来る保持手段（６）を有し、その下部には雨水の流入を防ぐフリル（４）、ずり上がりを防ぐ足掛け紐（５）などを設けたことを特徴とする。【選択図】図１
2013189735.tif 000002
【特許請求の範囲】
【請求項１】
防水、又は撥水加工を施した布材、又はシートを用いた外側部材（２）の内側に、保温性に優れた生地、若しくは通気性のよいメッシュ生地、若しくは硬質、又は緩衝に優れた素材などで形成した内側部材（３）を、面ファスナーなどの止め具（７）を用いて自由に張り替えることが出来るようにした二重構造とし、これを人体下肢脚部に巻き付けて止めることの出来る位置に、面ファスナーその他の止め具を保持手段（６）として設けたことを特徴とする脚の保護カバー（１）。
【請求項２】
外側部材（２）の上端縁辺部及び下端縁辺部に、ゴム紐等の伸縮材（８）を縫い込む等により取り付け、脚への保持機能を補う部分を設けることを特徴とした、請求項１の脚の保護カバー。
【請求項３】
脚の保護カバー（１）本体の下部のくるぶしにあたる部分に、外側部材と同質のフリル（４）を設けた、請求項１の脚の保護カバー。
【請求項４】
脚の保護カバー（１）本体の下部に、靴底の土踏まずの下を通る位置に、足掛け紐（５）を設けた、請求項１の脚の保護カバー。
【発明の詳細な説明】
【技術分野】
【０００１】  本発明は、身体下肢の脚部に用いて防水し、又は保温、保護することを目的とする脚の保護カバーに関するものである。
【背景技術】
【０００２】  従来、編み物として筒状に編まれたレッグウォーマーがあった（特許文献１参照）。
また、保温弾性素材を巻き廻して身体に着脱せしめて使用するレッグウォーマーがあった（特許文献２参照）。
また、防水保温加工の布材を形成して成る防寒用カバーがあった（特許文献３参照）。
【先行技術文献】
【特許文献】
【０００３】
【特許文献１】  特開２００６−２４１６６２号公報
【特許文献２】  特開２００３−２６８６０８号公報
【特許文献３】  実登３０５７６６４号公報
【発明の概要】
【発明が解決しようとする課題】
【０００４】  これらには次のような問題点があった。
（イ）筒状の編み物の場合にあっては、身体の脚部に着脱しようとする時は靴等の履物を    一旦脱がなければならず不便であった。
（ロ）また、保温弾性素材を用いたものにあっては、着装した時の運動性が軽ろやかでな    く、且つ脚のくるぶし部の保温、防水に問題があり、屋外の動作には不向きであった    。
（ハ）また、防水保温加工の布材を用いたものにあっては、着装時、殊に雨季などで雨水    がかかる場合において、内側湿気のため蒸れることによる不快感を被ることを防ぐこ    とが出来なかった。
（ニ）さらに、着装して歩行等の動作時に、下端部がくるぶし部より上方にずり上がり、    靴等の履物に雨水が浸入するなど、殊に幼児においてはその母親の手数がかかる等の    欠点があった。
（ホ）さらに、幼児の自転車練習時の転倒の際などの殴打、擦り傷に対する防護にも、弱    いことが分かった。
本発明は、これらの問題点を解決するためになされたものである。
【課題を解決するための手段】
【０００５】  防水の性質を有する外側部材（２）と、保温、通気、保護などの性質を有する内側部材（３）とで成る脚の保護カバー（１）本体に、面ファスナーなどを用いて人体下肢に巻き付けておくことの出来る保持手段（６）を設ける。【０００６】  防水、又は撥水加工を施した布材又はシートを用いた外側部材（２）の内側に、保温性の生地、若しくは通気性の良いメッシュ布地、若しくは硬質、又は緩衝に優れた素材などで形成した内側部材（３）を、面ファスナーなどの止め具（７）を用いて自由に張り替えることが出来る様にした二重構造とし、これを身体下肢脚部に巻きつけて止めることの出来る位置に、面ファスナーその他の止め具を保持手段（６）として設ける。【０００７】  外側部材（２）の上端縁辺部及び下端縁辺部には、ゴム紐等の伸縮材（８）を縫い込む等により、脚への保持機能を補う部分を設ける。【０００８】  脚の保護カバー本体の下部のくるぶしにあたる部分には、外側部材と同質同材のフリル（４）を設ける。【０００９】  脚の保護カバー（１）本体の下部に、靴底の土ふまずの下を通る位置に、所謂ストッキングに使用されている形状の足掛け紐（５）を設ける。
【発明の効果】
【００１０】  本発明の脚の保護カバーを使用するときは、靴等履物を脱ぐ必要も無く直ちに着装することが出来る。
下肢部分の雨水による濡れを防ぎ冬の季節には内側部を保温効果の良い部材に張替え、雨季や夏の季節には内側部をメッシュ布地に張り替えて通気性も良くする。
脚の保護カバー（１）本体の下部に設けたフリル（４）により、靴等履物への雨水の侵入を防ぐことができる。
足掛け紐に（５）よって脚の保護カバーのずり上がりも無く脚部に固定される。
内側部材を硬質、又は緩衝に効果のある部材に張り替えて使用するときは、幼児の自転車練習中の転倒時などの殴打やすり傷の軽減、防護に有効である。
【図面の簡単な説明】
【００１１】
【図１】  本発明の外側正面図である。
【図２】  本発明の内側背面図である。
【図３】  本発明の脚へ装着した斜視図である。
【図４】  本発明の脚へ装着を行う時の斜視図である。
【発明を実施するための形態】
【００１２】  以下、本発明を実施するための形態について説明する。
防水の性質を有する外側部材（２）と、保温、通気、保護、などの特性を有する内側部材（３）とで二重構造を有する。
これを雨天時に使用すれば、外側に雨水がかかっても、下肢の衣服は濡れず、冬季には保温性の内側部材に張替えて保温をなし、又は雨季や夏の季節においては通気性のある内側部材に交換張替えを行って、蒸れずに快適に使用することができる。
また内側部材を硬質の部材又は緩衝に効果のある部材に張り替えて使用するときは、幼児の自転車練習中の転倒時などの殴打や擦り傷の軽減、保護に役立つ。
そのほか、登山、トレッキング中に岩石、木枝からの防護や、山林、土木作業、ボランティアでの瓦礫除去作業での防護等にも有効である。
脚の保護カバー（１）外側の上端縁辺部及び下端縁辺部にゴム紐等の伸縮材（８）の縫い込みを設けることで、さらなる雨水の浸入の防止と、本発明の脚の保護カバーの、脚への保持機能の補いとすることが出来る。
本発明の脚の保護カバーの下部に設けたフリルは、雨水を受けて滴り落ちる水滴流が、靴などの履物の内部に流入するのを効果的に防止する。
それと共に、本脚の保護カバー（１）を幼児用に作るときは、このフリルのデザインにおいて、可愛らしさを演出することが出来る。
本発明の脚の保護カバー（１）の外側部材の内側の下部に、足掛け紐（５）を設けることにより、歩行動作中、特に幼児の跳ねとび運動などでずり上がり等の着装の乱れを直す母親などの手間をはぶくことができる。
【符号の説明】
【００１３】  １  脚の保護カバー
２  外側部材
３  内側部材
４  フリル
５  足掛け紐
６  保持手段
７  止め具
８  伸縮材
【図１】
2013189735.tif 000003
【図２】
2013189735.tif 000004
【図３】
2013189735.tif 000005
【図４】
2013189735.tif 000006